(57)【要約】【課題】パネルを容易に着脱することができるパネル取付構造を提供する。【解決手段】パネル１を壁面１２に着脱自在に取り付けるパネル取付構造であって、前記壁面１２または前記パネルの背面１ａのいずれか一方に係止部２、他方に該係止部に係止される被係止部３がそれぞれ複数設けられており、前記被係止部が前記係止部に係止されることにより前記パネルが前記壁面に取り付け固定され、前記パネルからの押圧によって複数の係止部が連動し前記被係止部への係止を行う連動部材９が設けられていることを特徴とする。【選択図】図１
2012046939.tif 000002
【特許請求の範囲】
【請求項１】
パネルを壁面に着脱自在に取り付けるパネル取付構造であって、
前記壁面または前記パネルの背面のいずれか一方に係止部、他方に該係止部に係止される被係止部がそれぞれ複数設けられており、前記被係止部が前記係止部に係止されることにより前記パネルが前記壁面に取り付け固定され、
前記パネルからの押圧によって複数の係止部が連動し前記被係止部への係止を行う連動部材が設けられていることを特徴とするパネル取付構造。
【請求項２】
請求項１において、
複数の前記パネルが隙間を空けた状態で取り付けられ、
複数の前記係止部と前記被係止部との係止状態の解除が、前記係止部側または前記被係止部側に設けられた解除レバーを前記隙間から操作することにより前記連動部材に連動されてなされることを特徴とするパネル取付構造。
【請求項３】
請求項１又は請求項２において、
複数の前記係止部は、それぞれ上下動する係止スライダーの先側に形成され、複数の前記係止スライダーは上下方向に並設されており、
該複数の前記係止スライダーのうち、最上方に設けられた前記係止スライダーは、ロックプレートにより前記被係止部を係止する方向の力を蓄積した状態でロックされており、前記ロックプレートが、前記パネルからの押圧を受けて前記最上方の係止スライダーに対するロック状態を解除することにより、前記連動部材によってその他の前記係止スライダーが移動し、前記被係止部が前記係止部に係止されることを特徴とするパネル取付構造。
【請求項４】
請求項３において、
複数の前記係止スライダーが、付勢部材により前記係止部が被係止部に係止する方向に付勢されており、
最上方に設けられた前記係止スライダー以外の前記係止スライダーと前記連動部材とは、前記連動部材に設けられた長孔内に移動自在に挿入された軸部を介して最上方に設けられた前記係止スライダーの動きと連動することを特徴とするパネル取付構造。
【発明の詳細な説明】
【技術分野】
【０００１】
本発明は、壁面にパネルを着脱自在に取り付けるパネル取付構造に関する。
【背景技術】
【０００２】
従来より、パネルを壁面に取り付けるパネル取付構造は、種々提案されており、例えば、下記特許文献１及び２が挙げられる。
【０００３】
下記特許文献１には、パネルの裏面に設けられた支持部材に支持孔を形成し、壁面（支持壁部）に設けられたピンに支持孔の上縁を引っ掛け、その後、連結具によって支持部材と壁面とを連結するものが記載されている。
また下記特許文献２には、隣り合う間柱の各対向部位にそれぞれ取り付けられる左右一対の胴縁係止用取付金具に、パネルの裏面に設けられた胴縁の両端部を係止するものが記載されている。
【先行技術文献】
【特許文献】
【０００４】
【特許文献１】特開昭６２−２１１４４０号公報
【特許文献２】特開平８−３１９７０９号公報
【発明の概要】
【発明が解決しようとする課題】
【０００５】
しかしながら、上記特許文献１に記載のものは、支持孔にピンを引っ掛けた後、連結具で固定するものであるため取り付けが容易とはいえず、また取り付けた後、簡単に取り外すことができない構造になっている。
上記特許文献２に記載のものは、パネルを上方に持ち上げて取付金具に胴縁を係止する必要がある。
従って、例えばパネルの長手方向の長さが床面から略天井までの長さを有するものの場合は、上方に持ち上げると天井にぶつけてしまうため、この取付構造を採用することができない。
また、パネルを取り外すときには廻り縁となる移動制止部材を取り外す必要があり、これも簡単に取り外すことができないものであった。
【０００６】
本発明は、上記実情に鑑みてなされたものであり、パネルを容易に着脱することができるパネル取付構造を提供することを目的としている。
【課題を解決するための手段】
【０００７】
上記目的を達成するために、本発明に係るパネル取付構造は、パネルを壁面に着脱自在に取り付けるパネル取付構造であって、前記壁面または前記パネルの背面のいずれか一方に係止部、他方に該係止部に係止される被係止部がそれぞれ複数設けられており、前記被係止部が前記係止部に係止されることにより前記パネルが前記壁面に取り付け固定され、前記パネルからの押圧によって複数の係止部が連動し前記被係止部への係止を行う連動部材が設けられていることを特徴とする。
【０００８】
本発明において、複数の前記パネルが隙間を空けた状態で取り付けられ、複数の前記係止部と前記被係止部との係止状態の解除が、前記係止部側または前記被係止部側に設けられた解除レバーを前記隙間から操作することにより前記連動部材に連動されてなされるものとしてもよい。
【０００９】
また本発明において、複数の前記係止部は、それぞれ上下動する係止スライダーの先側に形成され、複数の前記係止スライダーは上下方向に並設されており、該複数の前記係止スライダーのうち、最上方に設けられた前記係止スライダーは、ロックプレートにより前記被係止部を係止する方向の力を蓄積した状態でロックされており、前記ロックプレートが、前記パネルからの押圧を受けて前記最上方の係止スライダーに対するロック状態を解除することにより、前記連動部材によってすべての前記係止スライダーが移動し、前記被係止部が前記係止部に係止されるようしてもよい。
【００１０】
さらに本発明において、複数の前記係止スライダーが、付勢部材により前記係止部が被係止部に係止する方向に付勢されており、最上方に設けられた前記係止スライダー以外の前記係止スライダーと前記連動部材とは、前記連動部材に設けられた長孔内に移動自在に挿入された軸部を介して最上方に設けられた前記係止スライダーの動きと連動するようにしてもよい。
【発明の効果】
【００１１】
本発明に係るパネル取付構造によれば、上述の構成としているので、パネルを容易に着脱することができる。
【図面の簡単な説明】
【００１２】
【図１】本発明の一実施形態に係るパネル取付構造を説明するための模式的側面図であり、各部の係止前の状態を拡大斜視図とともに示した図である。
【図２】同パネル取付構造を説明するための模式的側面図であり、各部の係止状態の状態を拡大斜視図とともに示した図である。
【図３】同パネル取付構造を説明するための模式的斜視図である。
【図４】（ａ）及び（ｂ）は、同パネル取付構造に採用される固定機構部及び解除レバーを説明するための模式的斜視図である。
【図５】同パネル取付構造に採用され、最上方に設けられる固定機構部を説明するための分解斜視図である。
【図６】（ａ）及び（ｂ）は、同パネル取付構造に採用される係止部と被係止部の係止動作を説明するための模式的側面図である。
【図７】（ａ）及び（ｂ）は、同パネル取付構造に採用される係止部と被係止部の係止動作を説明するための模式的斜視図である。
【発明を実施するための形態】
【００１３】
以下に本発明の実施の形態について、図面に基づいて説明する。
本実施形態に係るパネルの取付構造は、複数のパネル１を壁面１２に着脱自在に取り付けるパネル取付構造であって、壁面１２またはパネル１の背面１ａのいずれか一方に係止部２、他方に係止部２に係止される被係止部３がそれぞれ複数設けられている。被係止部３が係止部２に係止されることによりパネル１が壁面１２に取り付け固定され、パネル１からの押圧によって複数の係止部２が連動し被係止部３への係止を行う連動部材９が設けられている。
以下、詳しく説明する。
なお、ここでは壁面１２に係止部２、パネル１の背面１ａに被係止部３が設けられた例について説明する。
【００１４】
パネル１は、壁面１２に沿って略鉛直に立てて設置され、縦長の薄型矩形状に形成されている。
パネル１は特に限定されるものではないが、着脱が容易で図１等に示すようにパネ ル１を上方に持ち上げることなく着脱できるように構成されているので、例えば調湿機能、脱臭機能等を有した機能パネルや略天井近くまで高さがあるようなパネルなどが好適である。従って、ここでは図示していないが、排気口、吸気口等を備えたパネルとしてもよいし、意匠性の高いパネル体であってもよい。
【００１５】
パネル１の背面１ａには、被係止具３０がビスなどの固定具３１（図６、図７等参照）によって固着されている。パネル１の背面１ａに固着された被係止具３０は固定具３１が挿通される挿通孔を備えた固定部３０ａと被係止部３となる鉤型形状の引掛部３０ｂとを備え、側面視して略Ｚ字形状に形成されている。
【００１６】
図３に示すようにパネル１が取り付けられる壁面１２には、前面開口の凹所１２ａが形成されており、この凹所には、所定の間隔を空けて固定柱１０が複数設けられている。固定柱１０は、パネル１が複数並べて取り付けられたとき、パネル１とパネル１の間に若干隙間が形成されるように設けられる。
固定柱１０は、金属材、樹脂材などからなり、断面視して前面が開口形成された凹条部１０ｃを備えた形状（略コの字型形状）とされ、長手方向両側部は側壁１０ｄとなっている（図３参照）。
【００１７】
固定柱１０の側壁１０ｄには、解除レバー４が挿通される挿通開口部１０ｂ（図４（ａ）参照）が略長方形状に形成されている。また固定柱１０の側壁１０ｄには、固定機構部２０Ａ，２０Ｂをブラケット８０を介して取り付けるために固定具８０ｂを挿通させる挿通孔８０ａが複数形成されている（図４（ａ）及び（ｂ）参照）。
なお、図４（ａ）及び（ｂ）は、図３の紙面右端の固定柱１０に取り付けられた固定機構部２０Ａ，２０Ｂと対応している。
固定柱１０の長手方向の寸法は凹所１２ａの高さ寸法に合わせて形成される。固定柱１０の厚み寸法は凹所１２ａ内に納まり、且つパネル１を取り付け際にパネル１の前面が壁面１２と略面一になるように設定される。固定柱１０は、その上下両端部を固定部材１０ａによって固定されており、この固定部材１０ａはビスなどの連結具によって凹所１２ａに直接連結され固定されている（図３・Ｄ部拡大図参照）。
【００１８】
凹所１２ａの下端部には、横方向に沿ってパネル１の下端部に形成された切欠溝部（不図示）と嵌合関係となり、パネル１の下端部を支持し取り付け位置の位置決め機能ともなるレール部１３（図３・Ｄ部拡大図参照）が形成されている。
隣り合う固定柱１０と固定柱１０の間隔は、パネル１の幅方向の寸法に合わせて設定され、この固定柱１０の所定位置に係止部２を備えた固定機構部２０Ａ，２０Ｂが取り付けられる。
【００１９】
ここでは、凹所１２ａの下端部にレール部１３が形成された例を示しているが、これに限定されず、また凹所１２ａの上端部に回り縁を設けたものとしてもよい。このようにレール部１３を備えたものとすれば、床面に対して略鉛直にパネル１を取り付け施工しやすいものとすることができる。またここでは天井と凹所１２ａの上端部との間に隙間がある例を示しているが、凹所１２ａの上端部と天井とがほぼ一致しているものとしてもよい。
【００２０】
次に固定柱１０に取り付けられた固定機構部２０Ａ，２０Ｂについて説明する。
固定柱１０の側壁１０ｄには、一列に計３個の係止部２を備えた固定機構部２０Ａ，２０Ｂが設けられており、パネル１の背面１ａには、これに対応して被係止部３が設けられる。従って一枚のパネル１は、係止部２と被係止部３とが計６箇所で係止されることにより壁面１２に取り付け固定されている。
固定柱１０の側壁１０ｄに上下方向に並設された３個の固定機構部２０Ａ，２０Ｂのうち、一番上方の位置、すなわち最上方に設けられた固定機構部２０Ａと、その下方に設けられた２個の固定機構部２０Ｂとは構成が異なるものが設けられている。
【００２１】
まずは図５〜７を参照しながら、最上方に設けられる固定機構部２０Ａについて説明する。
固定機構部２０Ａは、上下動する係止スライダー５と、係止スライダー５の上下動を規制するロックプレート６と、係止スライダー５が内装される固定機構部本体７とを備えている。
ここで固定機構部２０Ａの係止スライダー５は、ロックプレート６により被係止部３を係止する方向の力を蓄積した状態でロックされる構造としてもよい。また、ロックプレート６が、パネル１からの押圧を受けてこの最上方の係止スライダー５に対するロック状態を解除することにより、連動部材９によって下方に設けられた２個の固定機構部２０Ｂの係止スライダー５が移動し、被係止部３が係止部２に係止される構造としてもよい。言い換えれば、ロックプレート６は一番上方に取り付けられた固定機構部２０Ａにのみ設けられているので、係止スライダー５を下降動作に導くトリガは一番上方にのみ設けられていることになる。
さらに固定機構部２０Ａ，２０Ｂの係止スライダー５が、付勢部材８により係止部２が被係止部３に係止する方向（図例のものは下向き）に付勢されたものとしてもよい。そして最上方に設けられた係止スライダー５以外の係止スライダー５と連動部材９とは、連動部材９に設けられたスライド孔９ｂ（長孔）内に移動自在に挿入されたリンク軸９ｃ（軸部）を介して最上方に設けられた係止スライダー５の動きと連動するようにしてよい。
以下、詳しく説明する。
【００２２】
係止スライダー５は、付勢手段８とロックプレート６の動作をきっかけに上下動するように構成された側面視して略矩形状のブロック体からなり、係止スライダー５のいずれか一方の先側には係止部２となる漸次先細の傾斜部２ａが形成されている。傾斜部２ａはパネル１の取付状態において、壁面１２側からパネル１側へと斜めに傾斜した傾斜面を備えており、この傾斜面に被係止部３が当接すると壁面１２側に被係止部を引き寄せる分力を作用させることができる。
係止スライダー５の側部の係止部２近傍には、薄板状で固定機構部本体７側に突出した突出片５０が形成されている。
突出片５０は固定機構部本体７内に納められた際に、図７（ａ）に示すように固定機構部本体７の側部から突出するように配置される。
【００２３】
係止スライダー５に形成された係止部２の他方側には、付勢手段８が固着されており、ここでは付勢手段８として圧縮コイルバネが用いられた例を示している。
付勢手段８は、係止スライダー５の先側に形成された係止部２と被係止具３０に形成された被係止部３との係止位置方向に係止スライダー５が移動するように構成されている。従ってここでは、係止スライダー５が下降し係止部２と被係止部３とが係止状態になる例、すなわち係止位置が下方にある例を示しているので、付勢手段８は、係止スライダー５に対して下向きに付勢力が働くように設けられる。
【００２４】
固定機構部本体７は、略直方体形状のブロック体からなり、係止スライダー５及び付勢手段８が納められる。固定機構部本体７内に納められた係止スライダー５は、ロックプレート６及び付勢手段８の作用によって上下動するよう構成されている。
従って、固定機構部本体７の下方端面は、下降した係止スライダー５が露出し、係止部２が現れるように（図６（ｂ）等参照）開口状態に形成されている。
固定機構部本体７の固定柱１０側の側面は、上述の突出片５０が突出するように挿通部が形成されている。
また固定機構部本体７の固定柱１０側の側面にはロックプレート６が取り付けられ、ロックプレート６の動きと係止スライダー５が連動するように構成される。
この固定機構部本体７の固定柱１０側の側面には、ロックプレート６が回動するよう固定柱１０側に突出した軸部７０と、ロックプレート６が受ける押圧力に抗した力を作用させるバネ材７ａ（図例はトーションバネ）が巻きつけられたバネ軸部７１とが設けられている。バネ部材７ａの一端側は、固定機構部本体７に係止され、他端側は、ロックプレート６の係止孔６３に係止されており、フック部６１で解除レバー４を引掛ける方向に付勢している。
【００２５】
ロックプレート６は、薄肉の板片からなり、パネル１が取り付けられる際にパネル１の背面１ａが押し当てられる当接部６０と、突出片５０を係止するフック部６１と、軸部７０に挿通される貫通孔６２とを備えている。
当接部６０は、パネル１が取り付けられる際に押圧力を受け、係止スライダー５を下降動作に導くトリガとなる。
従って、固定機構部２０Ａが固定柱１０に取り付けられた際には、パネル１の背面１ａで押圧されるように当接部６０が固定機構部本体７の前面及び固定柱１０の前面よりも若干前方に突出した状態となるよう構成される（図４（ａ）、図６（ａ）参照）。
ここで当接部６０の形状は特に限定されるものではないが、図例のように側面視して丸みを帯びた曲面とすることが望ましい。これによれば、当接部６０にパネル１の背面１ａが押し当てられても、パネル１の背面１ａに傷などをつけたりすることを防止することができる。
【００２６】
フック部６１は、側面視して鉤型形状に形成されており、当接部６０が押圧力を受けていない場合、すなわちパネル１が取り付けられていないロック状態では、突出片５０を係止し係止スライダー５の下降を阻止する（図７（ａ）参照）。従って、パネル１が取り付けられていないロック状態では、係止スライダー５の突出片５０がフック部６１に係止されているので、係止部２は被係止部３を係止しない位置で保持される。
一方、フック部６１は、当接部６０が押圧力を受けている場合、すなわちパネル１が取り付けられた非ロック状態では、突出片５０のフック部６１による係止が解除されるので、係止スライダー５の下降を許容する（図７（ｂ）参照）。従って、パネル１からの押圧を受けると、フックロックプレート６は係止スライダー５のロック状態を解除して、係止スライダー５が付勢手段８の付勢力によって係止位置に移動するよう作用する。
このように当接部６０及びフック部６１を備えたロックプレート６は、軸部７０の周りを回動するように構成されており、この回動によって、係止スライダー５の移動を許容或いは阻止している。すなわち、係止スライダー５の上下動は、ロックプレート６の動作をきっかけに動作する。
なお、図６（ａ）及び図７（ａ）は、ロック状態を示し、図６（ｂ）及び図７（ｂ）は非ロック状態を示している。
【００２７】
次いで図４（ｂ）を参照しながら、下方に設けられる固定機構部２０Ｂについて説明する。上述の固定機構部２０Ａと共通する部分には同じ符号を付し、その説明は省略する。
固定機構部２０Ｂは、上下動する係止スライダー５と、係止スライダー５が内装される固定機構部本体７とを備えている。
最上方に設けられる固定機構部２０Ａ以外の固定機構部２０Ｂは、ロックプレート６が設けられていない。従って係止スライダー５には、ロックプレート６のフック部６１に係止される突出片５０が形成されていない。また固定機構部本体７にロックプレート６を回動させる軸部７０等も設けられていない。
係止部２が被係止部３に係止する方向に付勢する付勢手段８が内装されている点は、固定機構部２０Ａと同様である。
【００２８】
従って固定機構部２０Ｂに設けられる係止スライダー５は、パネル１の押圧を受けロックプレート６の動作をきっかけに上下動するのではなく、連動部材９によって最上方に設けられた固定機構部２０Ａの係止スライダー５の動作と連動して上下動する。
固定機構部２０Ｂに設けられた係止スライダー５はロックプレート６を備えておらず、常時付勢手段８によって係止部２が被係止部３に係止する方向に付勢されているので、ロック状態ではリンク軸９ｃがスライド孔９ｂの下端に係止された状態とする。これにより、係止スライダー５がロック状態において下降しないよう動きを規制することができる。このとき付勢手段８は上方向に圧縮される。一方、非ロック状態では連動部材９が下降することによりリンク軸９ｃのスライド孔９ｂ下端への係止が解除される。これにより、係止スライダー５が付勢手段８によって係止部２が被係止部３に係止する方向、すなわち係止スライダー５を下降させることができる。
【００２９】
このように複数の係止スライダー５のうち、最上方に設けられた係止スライダー５のみにロックプレート６を設ける構成とし、残りは連動部材９でリンクさせるとともにフリーに上下動可能としているので、部品点数を減らし機構を簡略化することができる。
また最上方の係止スライダー５の他、すべての係止スライダー５が付勢手段８によって係止部２が被係止部３に係止される方向に付勢されているので、振動で係止部２が被係止部３に係止された状態で不用意に外れてしまうことがない。
【００３０】
次いで連動部材９について説明する。
上述の３つの固定機構部２０Ａ，２０Ｂは、連動部材９で連結されている。
連動部材９は、平面視して細長の略長方形状の板体からなり、この連動部材９によって複数の係止スライダー５を連動するよう構成されている。連動部材９は、少なくとも最上方の固定機構部２０Ａが設けられた位置から最下方の固定機構部２０Ｂが設けられた位置までをつなぐ長さを要する（図３参照）。
連動部材９は、固定機構部２０Ａ，２０Ｂの背面側に取り付けられ、連動部材９の長手方向上方端部には、最上方の固定機構部２０Ａに設けられた係止スライダー５が固定機構部本体７を介して固定具９ａによって固定されている。
連動部材９は、ロック状態（パネル１が取り付けられていない状態）において、図１のＢ部・Ｃ部拡大図に示すようにリンク軸９ｃがスライド孔９ｂの最下端の位置に配置されるように取り付けられる。これにより、上述したように非ロック状態（パネル１が取り付けられた状態）となったときには、連動部材９が最上方の係止スライダー５の下降に伴って下降し、これによりスライド孔９ｂの位置も下降する。すると図２のＢ部・Ｃ部拡大図に示すようにスライド孔９ｂの下端に係止されていたリンク軸９ｂの係止が解除され固定機構部２０Ｂの係止スライダー５が下降する。
【００３１】
連動部材９の上下動によって、連動するよう固定機構部２０Ｂに設けられた係止スライダー５は、連動部材９には固定されず、スライド孔９ｂ内にリンク軸９ｂが係止され、上下動自在にフリーな状態に構成されている。
すなわち、中央と一番下方に設けられた固定機構部２０Ｂの係止スライダー５と連動部材９とは、リンク軸９ｃを介して連動されており、連動部材９に形成された縦長のスライド孔９ｂにリンク軸９ｃが係止されて上下にスライド自在に構成されている。
このように中央と一番下方に設けられた係止スライダー５と連動部材９とを固定関係としないことにより、パネル１の背面１ａに取り付ける被係止具３０の設置位置に誤差が生じても係止スライダー５の先側に形成された係止部２によって被係止部３を係止することができる。
【００３２】
以上によれば一枚のパネル１を複数の係止部２及び被係止部３で係止状態とするので、強固にパネル１を壁面に取り付け保持できるものでありながら、容易に取り付けを行うことができる。従って、例えば床面から天井近くまであるような高さのある大型のパネルであっても容易に取り付け施工することができる。
【００３３】
続いて、図１〜図３及び図４（ａ）を参照しながら、解除レバー４について説明する。
解除レバー４は、壁面１２に固定されたパネル１とパネル１の隙間から操作できるように設けられている。複数の係止部２と被係止部３との係止状態の解除が、係止部２側または被係止部３側に設けられた解除レバー４を隙間から操作することにより連動部材９に連動されてなされる。ここでは解除レバー４が係止部２側、すなわち固定機構部２０Ａ，２０Ｂと並設された例について説明する。
解除レバー４は薄肉の板片に形成されており、連動部材９に固定具４ｃによって固着される固定部４ａと、縦長に形成された挿通開口部１０ｂに挿通され固定柱１０の凹条部１０ｃ内において突出して露出するように設けられるレバー片４ｂとを備えている（図４（ａ）参照）。
ここで挿通開口部１０ｂは、解除レバー４のレバー片４ｂの上下動を許容するための空間を備えた縦長に形成されている。
解除レバー４は、図１、図２のＡ部拡大図に示すように最上方に設けられた固定機構部２０Ａの下方で、パネル１の取り付け状態において被係止具３０の邪魔にならない位置に取り付けられている。
【００３４】
解除レバー４のレバー片４ｂをパネル１とパネル１の隙間から操作することにより連動部材９が作用し、この連動部材９によって係止部２と被係止部３の係止状態の解除がほぼ同時になされる。
すなわち、複数のパネル１を固定柱１０に取り付けた状態で、その隙間から解除レバー４のレバー片４ｂを工具などで引き上げる操作を行う。すると連動部材９が上昇し、３箇所の係止スライダー５もこれに連動して上昇する。そして係止スライダー５の上昇に伴い、係止部２による被係止部３への係止状態が解除されるとパネル１の係止も解かれ、パネル１を壁面１２から取り外すことができる。詳しくは後記する。
【００３５】
次に図面を参照しながら、パネル１の取付要領を説明する。
まず、パネル１の下端部の切欠溝部をレール部１３に嵌合させる（図３参照）。このとき、パネル１の左右両端部が、固定柱１０に取り付けられた固定機構部２０Ａ，２０Ｂの取付位置と対応する位置にきているか、位置あわせを行う。そしてパネル１の下端部を支点としてそのまま壁面１２（凹所１２ａ）側向かってにパネル１を押し倒していく。
【００３６】
すると、パネル１の背面１ａが最上方の固定機構部２０Ａに設けられたロックプレート６の当接部６０が当接する。当接部６０は、パネル１に加わる押圧を受け、バネ材７ａの弾力に抗してロックプレート６が軸部７０回りに（図６（ａ）白抜矢印方向）に回動する。その結果、ロックプレート６による係止スライダー５のロックが解除され、付勢手段８の付勢力が作用して最上方の係止スライダー５が下降し、これに連動して連動部材９が下降する。連動部材９の下降する力によって、スライド孔９ｂの下端に係止されたリンク軸９ｃの係止が解除され、下向きに付勢された付勢手段８による付勢力をして中央及び下方に取り付けられた固定機構部２０Ｂの係止スライダー５が下降する。
そして、係止スライダー５の先側に形成された係止部２がパネル１の背面１ａに取り付けられた被係止部３を係止してパネル１を壁面１２側に引き寄せた状態に取り付けることができる。
このとき、係止部２は傾斜部２ａを備えているため、パネル１を壁面１２側に引き寄せやすく、隙間のない施工を行うことができる。
【００３７】
以上によれば、パネル１を壁面１２に向かって押し当てていけば複数の係止部２と被係止部３を係止状態とすることができ、パネル１を持ち上げなくてもパネル１の下端を置きながら壁面方向にパネルを回転させることで取り付けやすくなり、パネルの取り付け作業が容易となる。
従って、上方に持ち上げると天井にぶつけてしまうおそれがある高さのあるパネルや重量のあるパネルなどでも容易に取り付けることができる。
【００３８】
続いて、パネル１の取り外し要領を説明する。
上述の要領で取り付けられた複数のパネル１同士の間には隙間が形成されているため、この隙間から解除レバー４を引き上げることができる工具などを差し込む。固定柱１０内の解除レバー４のレバー片４ｂを引き上げると、解除レバー４に固着されている連動部材９も引き上げられる。これにより、最上方の固定機構部２０Ａに設けられた付勢手段８の付勢力に抗して係止スライダー５が上昇する。このとき付勢手段８は上方向に圧縮される。連動部材９の上昇に伴い、中央及び下方に設けられた固定機構部２０Ｂのリンク軸９ｃがスライド孔９ｂの下端位置へ移動し、そこでリンク軸９ｃがスライド孔９ｂの下端に係止された状態となる。これにより、固定機構部２０Ｂに設けられた付勢手段８の付勢力に抗してこれら係止スライダー５も上昇する。このとき付勢手段８は上方向に圧縮される。そして、複数の係止部２による被係止部３への係止状態がほぼ同時に解除されるとパネル１の係止も解かれ、パネル１を壁面１２から取り外すことができる。このとき、最上方の固定機構部２０Ａに設けられたロックプレート６の当接部６０への押圧も解除され、バネ材７ａの付勢力によってロックプレート６が軸部７０を軸として回動し、フック部６１が元のロック状態にもどる。
以上によれば、解除レバー４を引き上げるという操作だけで複数の係止部２による被係止部３との係止状態をほぼ同時に解除でき、パネル１を容易に取り外すことができる。従って、パネル１のメンテナンスや交換などを容易にすることができる。
【００３９】
以上、本実施形態では、係止部２を備えた固定機構部２０を固定柱２０に取り付け、パネル１の背面１ａに被係止部３を備えた被係止具３０を取り付けた例について説明したが、これに限定されるものではない。例えば、パネル１の背面１ａに係止部２を備えた固定機構部２０Ａ，２０Ｂを取り付け、固定柱１０に被係止部３を備えた被係止具３０を取り付けてもよい。
またここではパネル１の一方端部に３箇所設けられる例を示しているが、これに限定されず、２箇所でもよいし、パネル１の大きさなどに応じて４箇所以上設けたものとしてよい。
さらにパネル１の形状や構成等は上述の例に限定されず、係止部２及び被係止部３、解除レバー４、付勢手段８、連動部材９などの形状、構成、設置箇所等も図例に限定されるものではない。
【符号の説明】
【００４０】
１      パネル
１ａ      背面
１２      壁面
２      係止部
３      被係止部
４      解除レバー
５      係止スライダー
６      ロックプレート
８      付勢手段
９      連動部材
【図１】
2012046939.tif 000003
【図２】
2012046939.tif 000004
【図３】
2012046939.tif 000005
【図４】
2012046939.tif 000006
【図５】
2012046939.tif 000007
【図６】
2012046939.tif 000008
【図７】
2012046939.tif 000009